(57)【要約】【課題】購入可能なビデオフィードを可能にするための方法およびコンピューティングシステムを開示する。【解決手段】複数の参加者間のビデオ会議を可能にすることができる。ビデオ会議に関連付けられるビデオフィードを、複数の閲覧者にブロードキャストすることができる。1つまたは複数の小売商品のインジケータを、ビデオフィードに関連付けることができる。閲覧者によるインジケータの選択に応じて、ビデオフィードの閲覧者に、インタラクティブなユーザインターフェースを提供することができる。閲覧者が、インタラクティブなユーザインターフェースを介して、1つまたは複数の小売商品に関連する1つまたは複数のアクティビティを実行することを可能にすることができる。【選択図】図1
2015064879.tif 000002
【特許請求の範囲】
【請求項１】
コンピューティングデバイスによって、複数の参加者間のビデオ会議を可能にするステップと、
前記ビデオ会議に関連付けられるビデオフィードを複数の閲覧者にブロードキャストするステップと、
1つまたは複数の販売業者から入手可能な小売商品のリストを定義するステップと、
前記リストのインジケータを前記ビデオフィードに関連付けるステップと、
前記閲覧者による前記インジケータの選択に応じて、前記ビデオフィードの閲覧者に、インタラクティブなユーザインターフェースを提供するステップであって、前記インタラクティブなユーザインターフェースが、前記ビデオフィードに関連する非中断的ユーザインターフェースである、ステップと、
前記閲覧者が、前記インタラクティブなユーザインターフェースを介して、前記1つまたは複数の小売商品に関連する1つまたは複数のアクティビティを実行することを可能にするステップとを備える、コンピュータによって実行される方法。
【請求項２】
コンピューティングデバイスによって、複数の参加者間のビデオ会議を可能にするステップと、
前記ビデオ会議に関連付けられるビデオフィードを複数の閲覧者にブロードキャストするステップと、
1つまたは複数の小売商品のインジケータを前記ビデオフィードに関連付けるステップと、
前記閲覧者による前記インジケータの選択に応じて、前記ビデオフィードの閲覧者に、インタラクティブなユーザインターフェースを提供するステップと、
前記閲覧者が、前記インタラクティブなユーザインターフェースを介して、前記1つまたは複数の小売商品に関連する1つまたは複数のアクティビティを実行することを可能にするステップとを備える、コンピュータによって実行される方法。
【請求項３】
前記インジケータを関連付けるステップが、1つまたは複数の販売業者から入手可能な小売商品のリストを定義するステップを含む、請求項2に記載のコンピュータによって実行される方法。
【請求項４】
前記インジケータを関連付けるステップが、小売商品の前記リストを動的に修正するステップを含む、請求項3に記載のコンピュータによって実行される方法。
【請求項５】
前記インジケータが、小売商品の前記リストへのリンクを含む、請求項3に記載のコンピュータによって実行される方法。
【請求項６】
前記インジケータが、小売商品の前記リストの起動可能なインスタンス化を含む、請求項3に記載のコンピュータによって実行される方法。
【請求項７】
前記インタラクティブなユーザインターフェースが、前記ビデオフィードに関連する非中断的ユーザインターフェースを含む、請求項2に記載のコンピュータによって実行される方法。
【請求項８】
前記1つまたは複数のアクティビティが、前記1つまたは複数の商品のうちの少なくとも1つを販売業者から購入するステップと、前記1つまたは複数の商品のうちの少なくとも1つを閲覧者固有のリストに保存するステップと、前記1つまたは複数の商品のうちの少なくとも1つに関するさらなる情報を受信するステップと、前記1つまたは複数の商品のうちの少なくとも1つについての情報を、別の個人と共有するステップとのうちの1つまたは複数を含む、請求項2に記載のコンピュータによって実行される方法。
【請求項９】
前記ビデオフィードの定義された部分の間に、前記インジケータの視覚的強調を提供するステップをさらに含む、請求項2に記載のコンピュータによって実行される方法。
【請求項１０】
1つまたは複数のウェブページに関連付けられるウェブコンテンツとして前記ビデオフィードの記録を提供するステップさらに含み、前記ビデオフィードの前記記録が、前記1つまたは複数の小売商品の前記インジケータを含む、請求項2に記載のコンピュータによって実行される方法。
【請求項１１】
前記ウェブコンテンツが、リッチメディア広告、ビデオオンデマンド製品、およびウェブページのビデオコンポーネントのうちの1つまたは複数を含む、請求項10に記載のコンピュータによって実行される方法。
【請求項１２】
複数の参加者間のビデオ会議を可能にするステップと、
前記ビデオ会議に関連付けられるビデオフィードを複数の閲覧者にブロードキャストするステップと、
1つまたは複数の小売商品のインジケータを前記ビデオフィードに関連付けるステップと、
前記閲覧者による前記インジケータの選択に応じて、前記ビデオフィードの閲覧者に、インタラクティブなユーザインターフェースを提供するステップと、
前記閲覧者が、前記インタラクティブなユーザインターフェースを介して、前記1つまたは複数の小売商品に関連する1つまたは複数のアクティビティを実行することを可能にするステップとを備える操作を実行するように構成されたプロセッサおよびメモリを含むコンピューティングシステム。
【請求項１３】
前記インジケータを関連付けるステップが、1つまたは複数の販売業者から入手可能な小売商品のリストを定義するステップを含む、請求項12に記載のコンピューティングシステム。
【請求項１４】
前記インジケータを関連付けるステップが、小売商品の前記リストを動的に修正するステップを含む、請求項13に記載のコンピューティングシステム。
【請求項１５】
前記インジケータが、小売商品の前記リストへのリンクを含む、請求項13に記載のコンピューティングシステム。
【請求項１６】
前記インジケータが、小売商品の前記リストの起動可能なインスタンス化を含む、請求項13に記載のコンピューティングシステム。
【請求項１７】
前記インタラクティブなユーザインターフェースが、前記ビデオフィードに関連する非中断的ユーザインターフェースを含む、請求項12に記載のコンピューティングシステム。
【請求項１８】
前記1つまたは複数のアクティビティが、前記1つまたは複数の商品のうちの少なくとも1つを販売業者から購入するステップと、前記1つまたは複数の商品のうちの少なくとも1つを閲覧者固有のリストに保存するステップと、前記1つまたは複数の商品のうちの少なくとも1つに関するさらなる情報を受信するステップと、前記1つまたは複数の商品のうちの少なくとも1つについての情報を、別の個人と共有するステップとのうちの1つまたは複数を含む、請求項12に記載のコンピューティングシステム。
【請求項１９】
前記プロセッサおよび前記メモリが、前記ビデオフィードの定義された部分の間に、前記インジケータの視覚的強調を提供するようにさらに構成される、請求項12に記載のコンピューティングシステム。
【請求項２０】
前記プロセッサおよび前記メモリが、1つまたは複数のウェブページに関連付けられるウェブコンテンツとして前記ビデオフィードの記録を提供するようにさらに構成され、前記ビデオフィードの前記記録が、前記1つまたは複数の小売商品の前記インジケータを含む、請求項12に記載のコンピューティングシステム。
【請求項２１】
前記ウェブコンテンツが、リッチメディア広告、ビデオオンデマンド製品、およびウェブページのビデオコンポーネントのうちの1つまたは複数を含む、請求項20に記載のコンピューティングシステム。
【発明の詳細な説明】
【技術分野】
【０００１】
本開示はビデオ会議に関し、より詳細には、ビデオ会議の閲覧者が小売商品を閲覧して購入することを可能にすることに関する。
【背景技術】
【０００２】
現在、インターネットによって、わずか数十年前には想像もできなかった方法で、アイデアや情報を自由に交換することができる。インターネットのそのような1つの使用法は、1対1の交換を介するか、多者間の交換を介するかにかかわらず、通信媒体としての使用法である。たとえば、2人の個人が私用の電子メールを相互に交換することができる。あるいは、複数の人々が読めるように公開されるエントリを複数の人々が投稿することができる、公共のウェブサイトに参加することができる。そのようなウェブサイトの例には、これに限定されないが、製品/サービスのレビューサイト、および話題のブログがある。
【０００３】
インターネットのそのような1つの使用法は、人々が相互にビデオ会議を行うことを可能にすることである。ビデオ会議は通信セッションにビデオコンポーネントを追加するので、そのような通信セッションは参加者にとってより楽しいものである傾向がある。残念ながら、ビデオ会議は一般的に限られた数の参加者にとってのみ可能であるので、参加を望んでいたであろう多くの人を除外する結果になることが多い。
【先行技術文献】
【非特許文献】
【０００４】
【非特許文献１】IEEE 802.11a
【非特許文献２】IEEE 802.11b
【非特許文献３】IEEE 802.11g
【非特許文献４】IEEE 802.11n
【非特許文献５】IEEE 802.11x
【発明の概要】
【課題を解決するための手段】
【０００５】
一実装形態では、コンピュータによって実行される方法は、コンピューティングデバイスによって、複数の参加者間のビデオ会議を可能にするステップを含み得る。また、本方法は、ビデオ会議に関連付けられるビデオフィードを複数の閲覧者にブロードキャストするステップを含み得る。また、本方法は、1つまたは複数の販売業者から入手可能な小売商品のリストを定義するステップを含み得る。また、本方法は、リストのインジケータをビデオフィードに関連付けるステップを含み得る。また、本方法は、閲覧者によるインジケータの選択に応じて、ビデオフィードの閲覧者に、インタラクティブなユーザインターフェースを提供するステップを含み得る。インタラクティブなユーザインターフェースは、ビデオフィードに関連する非中断的ユーザインターフェースでよい。本方法は、閲覧者が、インタラクティブなユーザインターフェースを介して、1つまたは複数の小売商品に関連する1つまたは複数のアクティビティを実行することを可能にするステップをさらに含み得る。
【０００６】
別の実装形態によれば、コンピュータによって実行される方法は、コンピューティングデバイスによって、複数の参加者間のビデオ会議を可能にするステップを含み得る。また、本方法は、ビデオ会議に関連付けられるビデオフィードを複数の閲覧者にブロードキャストするステップを含み得る。また、本方法は、1つまたは複数の小売商品のインジケータをビデオフィードに関連付けるステップを含み得る。また、本方法は、閲覧者によるインジケータの選択に応じて、ビデオフィードの閲覧者に、インタラクティブなユーザインターフェースを提供するステップを含み得る。本方法は、閲覧者が、インタラクティブなユーザインターフェースを介して、1つまたは複数の小売商品に関連する1つまたは複数のアクティビティを実行することを可能にするステップをさらに含み得る。
【０００７】
以下の特徴のうちの1つまたは複数を含み得る。インジケータを関連付けるステップは、1つまたは複数の販売業者から入手可能な小売商品のリストを定義するステップを含み得る。インジケータを関連付けるステップは、小売商品のリストを動的に修正するステップを含み得る。インジケータは、小売商品のリストへのリンクを含み得る。インジケータは、小売商品のリストの起動可能なインスタンス化を含み得る。ビデオフィードの定義された部分の間に、インジケータの視覚的強調が提供され得る。
【０００８】
インタラクティブなユーザインターフェースは、ビデオフィードに関連する非中断的ユーザインターフェースを含み得る。1つまたは複数のアクティビティは、1つまたは複数の商品のうちの少なくとも1つを販売業者から購入するステップと、1つまたは複数の商品のうちの少なくとも1つを閲覧者固有のリストに保存するステップと、1つまたは複数の商品のうちの少なくとも1つに関するさらなる情報を受信するステップと、1つまたは複数の商品のうちの少なくとも1つについての情報を、別の個人と共有するステップとのうちの1つまたは複数を含み得る。
【０００９】
また、本方法は、1つまたは複数のウェブページに関連付けられるウェブコンテンツとしてビデオフィードの記録を提供するステップを含み得る。ビデオフィードの記録は、1つまたは複数の小売商品のインジケータを含み得る。ウェブコンテンツは、リッチメディア広告、ビデオオンデマンド製品、およびウェブページのビデオコンポーネントのうちの1つまたは複数を含み得る。
【００１０】
別の実施形態によれば、コンピューティングシステムは、複数の参加者間のビデオ会議を可能にするステップを含み得る操作を実行するように構成されたプロセッサおよびメモリを含み得る。ビデオ会議に関連付けられるビデオフィードを、複数の閲覧者にブロードキャストすることができる。1つまたは複数の小売商品のインジケータを、ビデオフィードに関連付けることができる。閲覧者によるインジケータの選択に応じて、ビデオフィードの閲覧者に、インタラクティブなユーザインターフェースを提供することができる。コンピューティングシステムは、閲覧者が、インタラクティブなユーザインターフェースを介して、1つまたは複数の小売商品に関連する1つまたは複数のアクティビティを実行することをさらに可能にすることができる。
【００１１】
以下の特徴のうちの1つまたは複数を含み得る。インジケータを関連付けるステップは、1つまたは複数の販売業者から入手可能な小売商品のリストを定義するステップを含み得る。インジケータを関連付けるステップは、小売商品のリストを動的に修正するステップを含み得る。インジケータは、小売商品のリストへのリンクを含み得る。インジケータは、小売商品のリストの起動可能なインスタンス化を含み得る。ビデオフィードの定義された部分の間に、インジケータの視覚的強調が提供され得る。
【００１２】
インタラクティブなユーザインターフェースは、ビデオフィードに関連する非中断的ユーザインターフェースを含み得る。1つまたは複数のアクティビティは、1つまたは複数の商品のうちの少なくとも1つを販売業者から購入するステップと、1つまたは複数の商品のうちの少なくとも1つを閲覧者固有のリストに保存するステップと、1つまたは複数の商品のうちの少なくとも1つに関するさらなる情報を受信するステップと、1つまたは複数の商品のうちの少なくとも1つについての情報を、別の個人と共有するステップとのうちの1つまたは複数を含み得る。
【００１３】
コンピューティングシステムは、1つまたは複数のウェブページに関連付けられるウェブコンテンツとしてビデオフィードの記録を提供するようにさらに構成され得る。ビデオフィードの記録は、1つまたは複数の小売商品のインジケータを含み得る。ウェブコンテンツは、リッチメディア広告、ビデオオンデマンド製品、およびウェブページのビデオコンポーネントのうちの1つまたは複数を含み得る。
【００１４】
1つまたは複数の実装形態の詳細を、添付の図面および以下の記述において説明する。他の特徴および利点は、本明細書、図面、および特許請求の範囲から明らかになるだろう。
【図面の簡単な説明】
【００１５】
【図１】本開示の実装形態によるビデオ会議処理を実行するコンピューティングデバイスを含む、分散されたコンピューティングネットワークの線図である。
【図２】本開示の例示的実装形態による、図1のビデオ会議処理の流れ図である。
【図３】本開示の例示的実装形態による、図1のビデオ会議処理によって管理されるビデオ会議の線図である。
【図４】本開示の例示的実装形態による、図1のビデオ会議処理によってレンダリングされるユーザインターフェースの線図である。
【図５】本開示の例示的実装形態による、図1のビデオ会議処理によってレンダリングされるユーザインターフェースの線図である。
【図６】本開示の実装形態による、図1のコンピューティングデバイスの線図である。
【発明を実施するための形態】
【００１６】
様々な図面における同様の参照記号は、同様の要素を示す。
【００１７】
ビデオコンテンツは、しばしば関連する小売コンポーネントを対象としている場合がある。すなわち、ビデオコンテンツは小売製品を販売することに向けられてもよく、小売の動機を与えることが間接的に可能であってもよい。いくつかの実施形態では、本開示は、複数の参加者がいるビデオ会議のブロードキャストの閲覧者が、ビデオ会議の主題に関連し得る、あるいは他の点でビデオ会議に関連し得る小売商品を発見することを可能にする、または動機さえも与える機能を提供することができる。したがって、ビデオ会議のブロードキャストは、小売りの機会を実現するために直接的または間接的に利用され得る。
【００１８】
図1および図2には、ビデオ会議処理10が示されている。ビデオ会議処理10は、サーバサイド処理、クライアントサイド処理、またはハイブリッドサーバサイド/クライアントサイド処理として実装され得る。たとえば、ビデオ会議処理10は、ビデオ会議処理10sを介して純粋にサーバサイド処理として実装され得る。あるいは、ビデオ会議処理10は、クライアントサイドアプリケーション10c1、クライアントサイドアプリケーション10c2、クライアントサイドアプリケーション10c3、およびクライアントサイドアプリケーション10c4のうちの1つまたは複数を介して純粋にクライアントサイド処理として実装され得る。あるいはまた、ビデオ会議処理10は、クライアントサイドアプリケーション10c1、クライアントサイドアプリケーション10c2、クライアントサイドアプリケーション10c3、およびクライアントサイドアプリケーション10c4のうちの1つまたは複数と組み合わせて、ビデオ会議処理10sを介してハイブリッドサーバサイド/クライアントサイド処理として実装され得る。したがって、本開示で使用されるビデオ会議処理10は、ビデオ会議処理10s、クライアントサイドアプリケーション10c1、クライアントサイドアプリケーション10c2、クライアントサイドアプリケーション10c3、およびクライアントサイドアプリケーション10c4の任意の組合せを含み得る。
【００１９】
また、図2を参照すると、および以下でより詳細に記述するように、ビデオ会議処理10は、複数のビデオ会議参加者間のビデオ会議を可能にすることができる(100)。ビデオ会議処理10は、ビデオ会議に関連付けられるビデオフィードを複数の閲覧者にブロードキャストすることができる(102)。ビデオ会議処理10は、1つまたは複数の小売商品のインジケータをビデオフィードに関連付けることができる(104)。また、ビデオ会議処理10は、閲覧者によるインジケータの選択に応じて、ビデオフィードの閲覧者に、インタラクティブなユーザインターフェースを提供することができる(106)。ビデオ会議処理10は、閲覧者が、インタラクティブなユーザインターフェースを介して、1つまたは複数の小売商品に関連する1つまたは複数のアクティビティを実行することをさらに可能にすることができる(108)。
【００２０】
ビデオ会議処理10sは、サーバアプリケーションでよく、ネットワーク14(たとえば、インターネットまたはローカルエリアネットワーク)に接続され得るコンピューティングデバイス12に常駐することができ、またコンピューティングデバイス12によって実行され得る。コンピューティングデバイス12の例には、これに限定されないが、パーソナルコンピュータ、ラップトップコンピュータ、携帯情報端末、データ対応セルラー式電話、ノートブックコンピュータ、1つまたは複数のプロセッサが埋め込まれた、またはそれに結合されたテレビ、サーバコンピュータ、一連のサーバコンピュータ、ミニコンピュータ、メインフレームコンピュータ、または専用ネットワークデバイスがある。
【００２１】
コンピューティングデバイス12に結合された記憶装置16に格納され得るビデオ会議処理10sの命令セットおよびサブルーチンは、コンピューティングデバイス12内に含まれる1つまたは複数のプロセッサ(図示せず)および1つまたは複数のメモリアーキテクチャ(図示せず)によって実行され得る。記憶装置16の例には、これに限定されないが、ハードディスクドライブ、テープドライブ、光ドライブ、RAIDデバイス、ランダムアクセスメモリ(RAM)、読出し専用メモリ(ROM)、およびあらゆる形態のフラッシュメモリ記憶装置がある。
【００２２】
ネットワーク14は、1つまたは複数のセカンダリネットワーク(たとえば、ネットワーク18)に接続されてよく、セカンダリネットワークの例には、これに限定されないが、たとえばローカルエリアネットワーク、ワイドエリアネットワーク、またはイントラネットがある。
【００２３】
クライアントサイドアプリケーション10c1、10c2、10c3、10c4の例には、これに限定されないが、ウェブブラウザ、ウェブブラウザプラグインまたはアプレット、ゲーム機ユーザインターフェース、ビデオ会議ユーザインターフェース、あるいは専用アプリケーション(たとえば、Android (商標)プラットフォーム、iOS (商標)プラットフォーム、Blackberry (商標)プラットフォーム上で実行しているアプリケーション)がある。クライアント電子デバイス28、30、32、34に(それぞれ)結合された記憶装置20、22、24、26に(それぞれ)格納され得るクライアントサイドアプリケーション10c1、10c2、10c3、10c4の命令セットおよびサブルーチンは、クライアント電子デバイス28、30、32、34に(それぞれ)組み込まれた1つまたは複数のプロセッサ(図示せず)および1つまたは複数のメモリアーキテクチャ(図示せず)によって実行され得る。記憶装置20、22、24、26の例には、これに限定されないが、ハードディスクドライブ、テープドライブ、光ドライブ、RAIDデバイス、ランダムアクセスメモリ(RAM)、読出し専用メモリ(ROM)、およびあらゆる形態のフラッシュメモリ記憶装置がある。
【００２４】
クライアント電子デバイス28、30、32、34の例には、これに限定されないが、データ対応セルラー式電話28、ラップトップコンピュータ30、携帯情報端末32、パーソナルコンピュータ34、ノートブックコンピュータ(図示せず)、サーバコンピュータ(図示せず)、ゲーム機(図示せず)、テレビ(図示せず)、タブレットコンピュータ(図示せず)、および専用ネットワークデバイス(図示せず)がある。クライアント電子デバイス28、30、32、34は、それぞれオペレーティングシステムを実行することができ、オペレーティングシステムの例には、これに限定されないが、Microsoft Windows(登録商標)、Android(商標)、WebOS(商標)、iOS(商標)、Redhat Linux(登録商標)、またはカスタムオペレーティングシステムがある。
【００２５】
様々なクライアント電子デバイス(たとえば、クライアント電子デバイス28、30、32、34)は、ネットワーク14(または、ネットワーク18)に直接的または間接的に結合され得る。たとえば、ラップトップコンピュータ30は、ラップトップコンピュータ30とワイヤレスアクセスポイント(すなわち、WAP)48との間に確立されたワイヤレス通信チャネル44を介してネットワーク14にワイヤレスに結合されるように示されており、WAP48はネットワーク14に直接結合するように示されている。さらに、携帯情報端末32は、携帯情報端末32とセルラーネットワーク/ブリッジ50との間に確立されたワイヤレス通信チャネル46を介してネットワーク14にワイヤレスに結合するように示されており、セルラーネットワーク/ブリッジ50はネットワーク14に直接結合するように示されている。さらに、パーソナルコンピュータ34は、ハードワイヤードネットワーク接続を介してネットワーク18に直接結合するように示されている。
【００２６】
WAP48は、たとえば、ラップトップコンピュータ30とWAP48との間にワイヤレス通信チャネル44を確立することができるIEEE 802.11a、802.11b、802.11g、802.11n、Wi-Fi、および/またはブルートゥースデバイスでよい。当分野で知られているように、IEEE 802.11x規格は、パス共有のために、イーサネット(登録商標)プロトコルおよびキャリア検知多重アクセス衝突回避(すなわち、CSMA/CA)を使用することができる。様々な802.11x規格は、たとえば、位相偏移キーイング(すなわち、PSK)変調または相補符号キーイング(すなわち、CCK)変調を使用することができる。当分野で知られているように、ブルートゥースは、短距離ワイヤレス接続を使用して、たとえばモバイル電話、コンピュータ、および携帯情報端末が相互接続されることを可能にする、遠隔通信工業規格である。
【００２７】
図2を参照して一般的に上述したように、ビデオ会議処理10は、複数のビデオ会議参加者間のビデオ会議を可能にすることができる(100)。ビデオ会議処理10は、ビデオ会議に関連付けられるビデオフィードを複数の閲覧者にブロードキャストすることができる(102)。ビデオ会議処理10は、1つまたは複数の小売商品のインジケータをビデオフィードに関連付けることができる(104)。また、ビデオ会議処理10は、閲覧者によるインジケータの選択に応じて、ビデオフィードの閲覧者に、インタラクティブなユーザインターフェースを提供することができる(106)。ビデオ会議処理10は、閲覧者が、インタラクティブなユーザインターフェースを介して、1つまたは複数の小売商品に関連する1つまたは複数のアクティビティを実行することをさらに可能にすることができる(108)。
【００２８】
当分野で知られているように、ソーシャルネットワークのユーザは、特定の話題についてチャットできるようにするための人々の仮想集会を可能にすることができる、複数のユーザのビデオ会議などのグループ通信セッションに参加することが可能でよい。たとえば、および図3を参照して、例示的な目的のために、ユーザ36、38、40、42が皆ソーシャルネットワーク150のメンバーであると仮定する。さらに、ビデオ会議(たとえば、ビデオ会議152)は、個人(たとえば、ホスト154)によってホストされると仮定する。ビデオ会議152の間、ホスト154は、ビデオ会議152の様々な参加者と対話することができる。例示的な目的で、ビデオ会議152は、定義された数の参加者(たとえば、最大10人の参加者)だけに適応することができると仮定する。たとえば、参加者156、158、160、および162は、ホスト154とともにビデオ会議152に参加することができる。
【００２９】
以下の議論は、ソーシャルネットワーク150内で可能にされている(100)ビデオ会議152を考慮するが、これは例示的な目的にすぎず、本開示の限定を意図するものではなく、他の構成も可能である。たとえば、ビデオ会議152は、たとえばスタンドアロン型の通信アプリケーション/製品(図示せず)によって、ソーシャルネットワーク150の外で可能にされてよい(100)。例示的な目的で、ビデオ会議152はコンピューティングデバイス12を通じて可能にされてよく(100)、(この例では)ユーザ36、38が、クライアント電子デバイス28、30を(それぞれ)介してビデオ会議152にアクセスすることができるとさらに仮定する。
【００３０】
したがって、ビデオ会議処理10は、複数のビデオ会議参加者(たとえば、ホスト154と参加者156、158、160、162)間のビデオ会議(たとえば、ビデオ会議152)を可能にすることができる(100)。さらに、たとえば10人を超える数の視聴者にビデオ会議152を提供するために、ビデオ会議処理10を、ビデオ会議152に関連付けられるビデオフィードを(たとえば、ビデオ164の形式で)複数の閲覧者(たとえば、ユーザ36、38)にブロードキャストする(102)ように構成することができる。
【００３１】
また、図4を参照すると、たとえばビデオ会議152の参加者ではない、ビデオ会議処理10のユーザ(たとえば、ユーザ36、38)にビデオ164が提供され得る。たとえば、ビデオ164は、たとえば、クライアント電子デバイス28、30によって(それぞれ)ビデオ164を受信して、閲覧アプリケーション166(たとえば、ビデオ共有プラットフォームのユーザインターフェース)によってレンダリングできるようにするために、ネットワーク14および/またはネットワーク18を介してユーザ38、40にブロードキャストされ得る(102)。
【００３２】
ビデオコンテンツは、しばしば、小売コンポーネントを含んでもよく、小売コンポーネントを対象としていてもよい。たとえば、広告などのいくつかのビデオコンテンツは、そのビデオコンテンツを閲覧する人によって購入され得る1つまたは複数の特定の商品をプロモーションすることに直接焦点を当てられてよい。他のビデオコンテンツは、より少数の直接小売コンポーネントを有してよい。たとえば、アドベンチャーマウンテンバイキングなどのアクティビティについてのビデオは、ビデオを閲覧している人が一般的にアウトドアに、また具体的にはマウンテンバイキングに関心がある可能性があるという点で、小売コンポーネントを対象としていてよい。したがって、アドベンチャーマウンテンバイキングについてのビデオは、アウトドアアパレル、マウンテンバイク、およびアクセサリ等の小売コンポーネントを対象としていてよい。すなわち、アドベンチャーマウンテンバイキングに関心がある人は、潜在的に、マウンテンバイキング用のアパレルを購入すること、マウンテンバイクまたはマウンテンバイキングアクセサリを購入することに関心がある可能性がある。したがって、たとえ購入用に商品を販売することを直接意図していないビデオでも、小売コンポーネントに結合され得る。
【００３３】
本開示のある実施形態では、ビデオ会議(たとえば、ビデオ会議152)のコンテンツが、同様に小売コンポーネントに結合され得る。たとえば、例示の目的で、ビデオ会議152が、ホスト154が印刷出版、オンライン出版、またはテレビ出版のファッションエディタであってよい、ライフスタイル中心のビデオ会議であると仮定する。ビデオ会議152中に、ホスト154および参加者156、158、160、162は、次の春シーズンのファッショントレンドについて議論する場合がある。ビデオ会議152中に、ホスト154および参加者156、158、160、162は、特定の製品(特定のデザイナーからの個々の商品など)、ならびに一般的な製品クラス(たとえば、春のサンダルトレンド、人気のあるドレススタイル、および人気のあるハンドバッグスタイル)について議論する場合がある。ビデオ会議処理10は、閲覧者(たとえば、ユーザ36、38)が、ビデオ会議152の間に議論されている製品を発見することを容易にすることができる。ある実施形態では、ビデオ会議処理10は、1つまたは複数の小売商品のインジケータをビデオフィードに関連付けることができる(104)。たとえば、ビデオ会議処理10は、様々な小売商品のインジケータ168、170、172、あるいは小売商品のカテゴリまたはクラスを、ユーザ36によって視聴されるビデオ会議152のブロードキャストでよいビデオ164に関連付けることができる(104)。
【００３４】
図4に示されるように、ビデオ会議が、サンダルのトレンド、ドレススタイル、およびハンドバッグスタイルを含む春のファッショントレンドの議論を含み得る図示された例では、インジケータ168、170、および172は、それぞれサンダルのグラフィック表示を含み得る。したがって、ビデオ会議152で生じている議論に関連し得る製品を発見する機会の表示をユーザ36(ビデオ164の閲覧者として)に提供することに加えて、インジケータ168、170、172は、発見するために利用可能な(たとえば、グラフィカル表示の使用を通じて)製品のタイプに関してユーザ36に警告することもできる。図4の図示された実施形態では、インジケータ168、170、172は、表示されているビデオを重畳することによって、あるいはその中に埋め込まれることによって、ビデオフィード(たとえば、ビデオ164)に関連付けられ得る(104)。いくつかの実施形態では、インジケータは、他の方法でビデオフィードに関連付けられ得る(104)。たとえば、小売商品の1つまたは複数のインジケータは、ビデオ164を再生するためのビデオインターフェースを含むフレーム内などの、関連コンテンツに含まれることによってビデオフィードに関連付けられ得る(104)。
【００３５】
ある実施形態では、1つまたは複数の小売商品のインジケータをビデオフィードに関連付けるステップ(104)は、1つまたは複数の販売業者から入手可能な小売商品のリストを定義するステップ(110)を含み得る。たとえば、ホスト154、参加者156、158、160、162のうちの1人、ビデオ会議のプロデューサ等は、ビデオフィード(たとえば、ブロードキャストビデオ164)の閲覧者によって発見可能でよい小売商品のキュレーションリスト(curated list)を作成することができる。あるリスト、または複数のリストは、ビデオフィードに関連付けられる(104)インジケータごとに定義され得る(110)。いくつかの実施形態では、小売商品のリストは、関連インジケータをビデオフィードに関連付ける(104)前に定義され得る(110)。たとえば、小売商品のリストは、ビデオ会議152の開始前に定義され得る。いくつかの実施形態では、インジケータを関連付けるステップ(104)は、小売商品のリストを動的に修正するステップ(112)を含み得る。たとえば、小売商品のリストは、ビデオ会議152の開始前に定義され得る(110)。しかしながら、ビデオ会議処理10によって、関連インジケータがビデオフィードに関連付けられた(104)後を含む、ビデオ会議152が開始された後に、小売商品のリストを動的に修正することができる(112)。たとえば、ビデオ会議152の間に、商品がリストに追加されてもよく、リストから削除されてもよい。リストのそのような動的な修正(112)は、たとえば、ビデオ164の閲覧者から受信したコメントに応じたものでもよく、ビデオ会議152の間に生じ得る自然なアイデアまたは議論からのものでもよい。さらに、リストを動的に修正するステップ(112)は、ビデオ会議152が行われている間に小売商品のリストを定義するステップ(110)を含み得る。
【００３６】
ある実施形態によれば、インジケータ(たとえば、インジケータ168、170、172)は、定義された(110)リストへのリンクを含み得る。たとえば、インジケータ168、170、172は、小売商品のそれぞれのリストへのリンクを含むことができ、リストはビデオフィードおよび/またはインジケータとは別に維持され得る。いくつかの実施形態では、インジケータは、小売商品のリストの起動可能なインスタンス化を含み得る。たとえば、インジケータはウィジェットやアプレット等を含むことができ、インジケータの有効化によって小売商品のリストのインスタンス化を起動できるようにするために、インジケータに関連する小売商品のリストをインジケータに埋め込むことができる。
【００３７】
インジケータをビデオフィードに関連付けるステップ(104)は、ビデオフィードの定義された部分の間に、インジケータの視覚的強調を提供するステップ(114)を含み得る。ビデオ会議152が春のファッショントレンドの議論を含み得る上記の例を継続すると、ビデオ会議152は、サンダルスタイル、ドレススタイル、およびハンドバッグスタイルの話題の議論を含み得る。たとえば、サンダルスタイルが議論されてよく、それがドレススタイルの議論につながり、ハンドバッグスタイルの議論で締めくくられる可能性がある。したがって、各話題はビデオ会議152の間に議論され得るが、話題はビデオ会議152の別の時間部分の間に議論され得る。したがって、ある実施形態では、ビデオ会議処理10は、ビデオフィードの定義された部分の間に、インジケータの視覚的強調を提供することができる(114)。たとえば、サンダルスタイルが議論されているビデオ会議の一部の間に、サンダルのインジケータ168に視覚的強調が提供され得る(114)。ある実施形態では、視覚的強調を提供するステップ(114)は、ビデオ会議152の特定の部分で特定のインジケータの視覚的強調を生じさせるために入力を提供するビデオ会議152のホスト154、参加者(たとえば、参加者156、158、160、162のうちの1人)、またはプロデューサ等に応答してよい。インジケータの周囲にボックスやマーキーを配置する、インジケータの色や透明レベルを変更する、または視覚的強調を提供するための他の任意の適切な技法などの、視覚的強調を提供する(114)ための様々な異なる技法が利用されてよい。
【００３８】
いくつかの実施形態では、ビデオ会議処理10によって、インジケータのうちの1つまたは複数をオンおよびオフにすることを可能にすることができ(たとえば、ビデオ会議のホストまたは参加者によって、ビデオ会議のプロデューサによって、等)、それによって、ビデオブロードキャストの閲覧者がビデオフィードに関連付けられる小売商品を発見する機能を提供し、また、ビデオ164のブロードキャストの閲覧者がビデオ164のブロードキャストに関連付けられる小売商品を発見する機能を削除する。様々な実施形態では、ビデオ会議処理は、閲覧者に基づいて、またはビデオ会議の一部に基づくなどして、インジケータのうちの1つまたは複数をオンおよびオフにすることを可能にする(たとえば、あるユーザにはインジケータがオンにされてよく、他のユーザにはオフにされてよい)。さらに、いくつかの実施形態では、インジケータは個別にオンおよびオフにされてよい(たとえば、1つまたは複数のインジケータがオンにされてよく、1つまたは複数のインジケータがオフにされてよい)。たとえば、インジケータは、インジケータに関連する商品に関する議論がビデオ会議の間に議論される場合のみオンにされてよく、および/または、インジケータは、インジケータに関連する商品が議論されているビデオ会議の一部の間だけオンになってもよい。他の構成も同様に利用されてよい。
【００３９】
また、ビデオ会議処理10は、閲覧者によるインジケータの選択に応じて、ビデオフィードの閲覧者に、インタラクティブなユーザインターフェースを提供することができる(106)。たとえば、インジケータ(たとえば、インジケータ168、170、172)は、一般的に上述したように、小売商品のリストへのリンク、アクティブ化または起動され得るウィジットまたはアプレットなどの、選択可能な商品であってよい。したがって、ビデオフィードの閲覧者(たとえば、ブロードキャストビデオ164を視聴していると思われるユーザ36)は、オンスクリーンポインタ174(たとえば、マウスまたは他のポインティングデバイス(図示せず)によって制御され得るもの)、タッチスクリーンユーザインターフェース、または同等物を使用してインジケータを選択することができる。たとえば、オンスクリーンポインタ174を使用してインジケータ168を選択しているユーザ36(ブロードキャストビデオ164の閲覧者として)に応答して、ビデオ会議処理10は、インタラクティブなユーザインターフェース176を提供することができる(106)。ある実施形態では、インタラクティブなユーザインターフェースは、ビデオフィードに関連する非中断的ユーザインターフェースを含み得る。たとえば、インタラクティブなユーザインターフェースは、ビデオディスプレイウィンドウまたはペインを曖昧にすることによって、またはブロードキャストビデオディスプレイから離れてナビゲートすることなどによって、ブロードキャストビデオ164の継続的な視聴を中断しない。たとえば、図示された実施形態では、インタラクティブなユーザインターフェース176は、ブロードキャストビデオ164のディスプレイに隣接する空間に提供され得る(106)。他の様々な実装形態が同様に利用され得る。たとえば、インタラクティブが、ブロードキャストビデオ164を中断することなしに閲覧者が対話することを可能にするポップアウト機能として提供されてよい。
【００４０】
一般的に上述したように、インジケータ(たとえば、インジケータ168、170、172のうちの1つまたは複数)は、小売商品のリストへのリンクを含んでもよく、および/または、小売商品のリストの起動可能なインスタンス化を提供する埋め込まれた機能でもよい。したがって、閲覧者がインジケータを選択するステップに応答して、ビデオ会議処理10は、インジケータに関連する小売商品のリストを含み得るインタラクティブなユーザインターフェース176を提供することができる(106)。ビデオ会議処理10は、閲覧者が、インタラクティブなユーザインターフェースを介して、1つまたは複数の小売商品に関連する1つまたは複数のアクティビティを実行することをさらに可能にすることができる(108)。たとえば、インタラクティブなユーザインターフェース176内から、ユーザ36は、選択されたインジケータに関連する小売商品の表示されたリストに関する様々なアクティビティを実行してもよく、および/または、表示されたリスト内に含まれる個々の商品に関連する様々なアクティビティを実行してもよい。たとえば、インタラクティブなユーザインターフェース176は、ナビゲートされ得る(たとえば、スクロールバー178、または、タッチスクリーンユーザインターフェースを介するジェスチャスクローリングなどの他の適切なナビゲーションメカニズムを介して)小売商品のスクロール可能なリストを含み得る。図示されるように、小売商品のリストは、小売商品のグラフィカルリスト、テキストベースのリスト、および/または結合されたグラフィカル/テキストベースのリストを含み得る。
【００４１】
いくつかの実装形態では、インタラクティブなユーザインターフェース(たとえば、インタラクティブなユーザインターフェース176)は、閲覧者が、インタラクティブなユーザインターフェースに含まれる商品のうちの少なくとも1つに関連するさらなる情報を受信することを可能にすることができる。たとえば、図示されるように、インタラクティブなユーザインターフェースは、商品に関するいくつかの情報(たとえば、商品の写真またはグラフィカル表示、および商品の価格)を含み得る。いくつかの実施形態では、インタラクティブなユーザインターフェースは、閲覧者が、商品のうちの1つまたは複数についてのさらなる情報を受信することを可能にすることができる。たとえば、ユーザは、インタラクティブなユーザインターフェース内から商品を選択することができ、また、商品を選択するステップに応答して、ビデオ会議処理10(および/または、インタラクティブなユーザインターフェース内の商品を選択することによって呼び出され得るeコマース処理などの別の処理)は、選択された商品に関するさらなる情報を提供することができる。さらなる情報の例には、商品の詳細な説明、商品の特徴、商品を購入することができる販売業者のリスト、商品のユーザレビュー、3次元インタラクティブ画像または回転可能画像などの商品のさらなる画像等がある。いくつかの実施形態では、閲覧者は、インタラクティブなユーザインターフェース内でさらなる情報を直接受信することができる。いくつかの実施形態では、閲覧者は、異なるインターフェースにおいて、ブロードキャストビデオ164の視聴を可能にするアプリケーションとは異なるアプリケーションを通じて、異なるタブまたはウインドウを通じて、あるいは同等の方法で、選択された商品に関するさらなる情報を受信することができる。
【００４２】
いくつかの実装形態では、インタラクティブなユーザインターフェース(たとえば、インタラクティブなユーザインターフェース176)は、閲覧者が、リストに含まれる商品のうちの少なくとも1つを販売業者から購入することを可能にすることができる。たとえば、インタラクティブなユーザインターフェース内に表示された商品のうちの1つまたは複数は、関連商品を購入するためのオプション(リンク、ボタン等)を含み得る。商品を購入するためのオプションを選択するステップに応答して、その商品が閲覧者に関連付けられる電子ショッピングカートに追加されてもよく、および/または一般的に従来の方法で商品を購入する取引が完了されてもよい。いくつかの実施形態では、商品を購入するステップは、閲覧者が財務情報および/または配送情報を提供することを必要とする場合もあり、格納された財務情報および/または配送情報が利用される場合もある。たとえば、いくつかの実施形態では、閲覧者が商品を選択するステップに応答して、ビデオ会議処理10(および/または、eコマースアプリケーションなどの別の処理)は、商品を購入することができる販売業者のリストを閲覧者に提供することができる。閲覧者は、所望の販売業者を選択することができ、取引が完了され得る。いくつかの実施形態では、閲覧者が、選択された販売業者で既存のアカウントを有する場合、取引は、選択された販売業者のユーザのアカウントに関連付けられる財務情報および配送情報を利用して処理され得る。他の同様の特徴および実装形態も、同様に利用され得る。
【００４３】
いくつかの実施形態では、インタラクティブなユーザインターフェースは、閲覧者が1つまたは複数の選択された商品(および/または商品のリスト全体)を、ウィッシュリストまたは買い物リストなどの閲覧者固有のリストに保存することを可能にすることができる。いくつかの実施形態では、ウィッシュリストは、ソーシャルネットワーク150によって維持または作成され得る。いくつかの実施形態では、ウィッシュリストは、選択された商品を購入することができる販売業者によって維持または作成され得る。閲覧者が、選択された商品の選択された販売業者で既存のアカウントを有する状況では、販売業者によって維持または作成されたウィッシュリストに選択された商品を保存することができ、また閲覧者の既存のアカウントに関連付けることができる。
【００４４】
いくつかの実施形態では、インタラクティブなユーザインターフェースは、閲覧者が、1つまたは複数の商品のうちの少なくとも1つについての情報を別の個人と共有することを容易にすることができる。たとえば、閲覧者は、購入する前に商品に関する意見を求めることを望む場合がある。したがって、インタラクティブなユーザインターフェースは、選択された商品についての意見または情報を収集する目的で、閲覧者が、商品に関する情報を友人、家族、または見知らぬ人とでさえも、共有することを可能にすることができる。ある例示的実施形態では、インタラクティブなユーザインターフェース内の商品のうちの1つまたは複数は、商品を共有するためのオプション(リンク、ボタン、または同等物)を含み得る。商品を共有するためのオプションを選択するステップに応答して、ビデオ会議処理10(および/または、別の処理またはアプリケーション)は、商品についての情報が他の個人に通信されることを可能にすることができる。たとえば、閲覧者は、商品を共有するべき個人を識別することが可能でよい。様々な実施形態では、選択された商品に関する情報は、ソーシャルネットワーク150(たとえば、閲覧者の選択されたソーシャルネットワーキングの連絡先と共有することによって)、電子メール、インスタントメッセージング等を介して共有され得る。選択された商品を他者と共有するための他の様々なメカニズムが実装され得る。
【００４５】
ある実施形態では、ビデオ会議処理10は、1つまたは複数のウェブページに関連付けられるウェブコンテンツとしてビデオフィードの記録も提供することができる(116)。ビデオフィードの記録は、1つまたは複数の小売商品のインジケータを含み得る。たとえば、様々な閲覧者は、一般的に、ビデオ会議と同時にブロードキャストビデオフィードを視聴することができる。ビデオフィードをブロードキャストすることに加えて、ビデオ会議処理10は、ビデオフィードを記録することもできる。たとえば、ビデオフィードのブロードキャスト(102)の参加者および閲覧者よりもさらに多数の視聴者にビデオ会議152を提供するために、ビデオフィードを記録して、その記録が後日他の様々な人々によって消費され得るようにすることができる。さらに、ビデオフィードの記録を視聴している人々が同様にビデオに関連付けられ得る小売商品を発見することを可能にするために、インジケータは記録されたビデオフィードに埋め込まれてよい。
【００４６】
様々な実施形態では、記録されたビデオフィードは、様々なウェブページ上のビデオコンテンツとして含まれ得る。たとえば、記録されたビデオフィードは、リッチメディア広告として利用され得る。同様に、記録されたビデオフィードは、たとえばビデオ共有ウェブサイトまたはサービス(インターネットテレビサービス等)上で、ビデオオンデマンド製品として提供され得る。いくつかの実施形態では、記録されたビデオフィードは、小売業者のウェブサイト、ソーシャルネットワーキングページなどのウェブページ上のビデオコンポーネントまたはビデオコンテンツとして含まれ得る。そのような任意の実装形態では、小売商品の埋め込まれたインジケータは、ビデオコンテンツに関連付けられ得る小売商品を発見するために、記録されたビデオフィードの閲覧者によって利用され得る。
【００４７】
また、図6を参照すると、コンピューティングデバイス12の線図が示されている。この図にはコンピューティングデバイス12が示されているが、これは例示的な目的にすぎず、本開示の限定を意図するものではなく、他の構成も可能である。たとえば、全体的に、または部分的に、ビデオ会議処理10を実行することができる任意のコンピューティングデバイスが図6内のコンピューティングデバイス12に置換されてよく、コンピューティングデバイス12の例には、これに限定されないが、クライアント電子デバイス28、30、32、34がある。
【００４８】
コンピューティングデバイス12は、たとえば、ビデオ会議処理10のためにデータを処理して、命令/コードを実行するように構成されたマイクロプロセッサ200を含み得る。マイクロプロセッサ200は、記憶装置16に結合され得る。上述のように、記憶装置16の例には、これに限定されないが、ハードディスクドライブ、テープドライブ、光ドライブ、RAIDデバイス、NASデバイス、ストレージエリアネットワーク、ランダムアクセスメモリ(RAM)、読出し専用メモリ(ROM)、およびあらゆる形態のフラッシュメモリ記憶装置がある。IOコントローラ202は、マイクロプロセッサ200を、キーボード204、マウス206、USBポート(図示せず)、およびプリンタポート(図示せず)などの様々なデバイスに結合するように構成され得る。ディスプレイアダプタ208は、ディスプレイ210(たとえば、CRTまたはLCDモニタ)をマイクロプロセッサ200に結合するように構成することができ、ネットワークアダプタ212(たとえば、イーサネット(登録商標)アダプタ)は、マイクロプロセッサ200をネットワーク14(たとえば、インターネットまたはローカルエリアネットワーク)に結合するように構成することができる。
【００４９】
当業者には理解されるように、本開示は、方法(たとえば、コンピューティングデバイス12上で全体的に、または部分的に実行する)として実施されてもよく、システム(たとえば、コンピューティングデバイス12)として実施されてもよく、コンピュータプログラム製品(たとえば、記憶装置16内で符号化された)として実施されてもよい。したがって、本開示は完全なハードウェア実施形態の形をとってもよく、完全なソフトウェア実施形態(ファームウェア、常駐ソフトウェア、マイクロコード等を含む)の形をとってもよく、本明細書ではすべて一般的に「回路」、「モジュール」、または「システム」と呼ばれ得るソフトウェアとハードウェアの態様を結合する実施形態の形をとってもよい。さらに、本開示は、コンピュータ使用可能プログラムコードを媒体に組み入れたコンピュータ使用可能記憶媒体(たとえば、記憶装置16)上のコンピュータプログラム製品の形をとってよい。
【００５０】
任意の適切なコンピュータ使用可能またはコンピュータ可読媒体(たとえば、記憶装置16)が利用され得る。コンピュータ使用可能またはコンピュータ可読媒体は、たとえば、これに限定されないが、電子、磁気、光、電磁、赤外線、または半導体の、システム、装置、デバイス、または伝搬媒体でよい。コンピュータ可読媒体のより具体的な例(非網羅的なリスト)は、1つまたは複数の電線を有する電気的接続、ポータブルコンピュータディスケット、ハードディスク、ランダムアクセスメモリ(RAM)、読出し専用メモリ(ROM)、消去可能プログラマブル読出し専用メモリ(EPROMまたはフラッシュメモリ)、光ファイバ、ポータブルコンパクトディスク読出し専用メモリ(CD-ROM)、光記憶装置、インターネットまたはイントラネットをサポートするものなどの伝送媒体、あるいは磁気記憶装置を含み得る。また、プログラムは、たとえば紙または他の媒体の光スキャンを介して電子的にキャプチャして、次いで必要に応じて適切な方法でコンパイル、解釈、あるいは処理して、次いでコンピュータメモリに格納することができるので、コンピュータ使用可能またはコンピュータ可読媒体は、プログラムが印刷される紙または他の適切な媒体でよい。この文書の文脈では、コンピュータ使用可能またはコンピュータ可読媒体は、命令実行システム、装置、またはデバイスによって使用する、またはそれらと接続するために、プログラムを包含、格納、通信、伝搬、または移送することができる任意の媒体でよい。コンピュータ使用可能媒体は、ベースバンドに、または搬送波の一部として組み入れられた、コンピュータ使用可能プログラムコードで伝搬されたデータ信号を含み得る。コンピュータ使用可能プログラムコードは、これに限定されないが、インターネット、ワイヤライン、光ファイバケーブル、RF等を含む任意の適切な媒体を使用して伝送され得る。
【００５１】
本開示の操作を実行するためのコンピュータプログラムコードは、Java(登録商標)、C#.NET、PHP、C++、または同様のものなどのオブジェクト指向プログラミング言語で書かれ得る。しかしながら、本開示の操作を実行するためのコンピュータプログラムコードは、「C」プログラミング言語または同様のプログラミング言語などの従来の手続き型プログラミング言語で書かれてもよい。プログラムコードは、ユーザのコンピュータ上で完全に、ユーザのコンピュータ上で部分的に、スタンドアロン型ソフトウェアパッケージとして、ユーザのコンピュータ上で部分的に、および遠隔コンピュータ上で部分的に、または遠隔コンピュータまたはサーバ上で完全に実行することができる。後者の場合、遠隔コンピュータは、ローカルエリアネットワーク/ワイドエリアネットワーク/インターネット(たとえば、ネットワーク14)を通じてユーザのコンピュータに接続され得る。
【００５２】
本開示は、本開示の実施形態による、方法、装置(システム)、およびコンピュータプログラム製品のフローチャート図および/またはブロック図を参照して説明される。フローチャート図および/またはブロック図の各ブロック、ならびにフローチャート図および/またはブロック図内のブロックの組合せは、コンピュータプログラム命令によって実装され得ることが理解されよう。これらのコンピュータプログラム命令は、コンピュータのプロセッサ(たとえば、プロセッサ200)または他のプログラマブルデータ処理装置を介して実行する命令が、フローチャートおよび/またはブロック図のブロックで指定された機能/動作を実装するための手段を作成するように、汎用コンピュータ/専用コンピュータ/他のプログラマブルデータ処理装置(たとえば、コンピューティングデバイス12)のプロセッサ(たとえば、プロセッサ200)に提供され得る。
【００５３】
これらのコンピュータプログラム命令は、コンピュータ可読メモリに格納された命令が、フローチャートおよび/またはブロック図のブロックで指定された機能/動作を実装する命令手段を含む製品を作成するように、コンピュータ(たとえば、コンピューティングデバイス12)または他のプログラマブルデータ処理装置に特定の方法で機能するよう指示するコンピュータ可読メモリ(たとえば、記憶装置16)にも格納され得る。
【００５４】
また、コンピュータプログラム命令は、コンピュータまたは他のプログラマブル装置上で実行する命令が、フローチャートおよび/またはブロック図のブロックで指定された機能/動作を実装するステップを提供するように、コンピュータ実装処理を生成するためにコンピュータまたは他のプログラマブル装置上で一連の操作ステップを実行させるために、コンピュータ(たとえば、コンピューティングデバイス12)または他のプログラマブルデータ処理装置にロードされ得る。
【００５５】
図面内のフローチャートおよびブロック図は、本開示の様々な実施形態によるシステム、方法、およびコンピュータプログラム製品の可能な実装形態のアーキテクチャ、機能性、および操作を示すことができる。この点に関して、フローチャートまたはブロック図内の各ブロックは、特定の論理的機能を実装するための1つまたは複数の実行可能命令を備える、モジュール、セグメント、またはコードの一部を表すことができる。また、いくつかの代替実装形態では、ブロック内に記載された機能が、図面に記載された順序とは異なる順序で発生し得る点にも留意されたい。たとえば、連続して示される2つのブロックは、実際には、実質的に同時に実行されてもよく、時には、含まれる機能によって、ブロックが逆の順序で実行されてもよい。また、ブロック図および/またはフローチャート図の各ブロック、ならびにブロック図および/またはフローチャート図内のブロックの組合せは、指定された機能または動作を実行する専用ハードウェアベースのシステム、あるいは専用ハードウェアとコンピュータ命令との組合せによって実装され得る点にも留意されたい。
【００５６】
本明細書で使用される用語は特定の実施形態を説明するためのものにすぎず、本開示を限定することを意図するものではない。本明細書で使用される場合、単数形「a」、「an」、および「the」は、文脈が明確に示さない限り、複数形も含むことを意図している。さらに、本明細書で使用される場合、「備える(comprise)」および/または「備えている(comprising)」という用語は、記述された特徴、整数、ステップ、操作、要素、および/またはコンポーネントの存在を指定するが、1つまたは複数の他の特徴、整数、ステップ、操作、要素、コンポーネント、および/またはそれらのグループの存在または追加を除外しないことが理解されよう。
【００５７】
以下の特許請求内のすべての手段またはステップ、ならびに機能要素の対応する構造、材料、動作、および等価物は、具体的に特許請求される他の請求される要素と組み合わせて機能を実行するための任意の構造、材料、または動作を含むことを意図している。本開示の説明を、例示および説明の目的で提示してきたが、それは網羅的であること、または開示された形態の開示に限定されることを意図するものではない。当業者には、本開示の範囲および趣旨から逸脱することなしに、多くの修正形態および変形形態が明らかであろう。本実施形態は、本開示の原理および実際の適用をもっともよく説明して、他の当業者が、様々な修正形態を有する様々な実施形態の開示を考えられる特定の用途に適するものとして理解できるようにするために、選択および記載されている。
【００５８】
このように、本出願の開示を詳細に、およびその実施形態を参照することによって説明してきたが、添付の特許請求の範囲に定義された本開示の範囲から逸脱することなしに修正形態および変形形態が可能であることは明らかであろう。
【符号の説明】
【００５９】
10  ビデオ会議処理
10c1  クライアントサイドアプリケーション
10c2  クライアントサイドアプリケーション
10c3  クライアントサイドアプリケーション
10c4  クライアントサイドアプリケーション
12  コンピューティングデバイス
14  ネットワーク
16  記憶装置
18  ネットワーク
20  記憶装置
22  記憶装置
24  記憶装置
26  記憶装置
28  クライアント電子デバイス
28  データ対応セルラー式電話
30  クライアント電子デバイス
30  ラップトップコンピュータ
32  クライアント電子デバイス
32  携帯情報端末
34  クライアント電子デバイス
34  パーソナルコンピュータ
36  ユーザ
38  ユーザ
40  ユーザ
42  ユーザ
44  ワイヤレス通信チャネル
46  ワイヤレス通信チャネル
48  WAP
50  セルラーネットワーク/ブリッジ
150  ソーシャルネットワーク
152  ビデオ会議
154  ホスト
156  参加者
158  参加者
160  参加者
162  参加者
164  ビデオ
166  閲覧アプリケーション
168  インジケータ
170  インジケータ
172  インジケータ
174  オンスクリーンポインタ
176  インタラクティブなユーザインターフェース
178  スクロールバー
200  マイクロプロセッサ
202  IOコントローラ
204  キーボード
206  マウス
208  ディスプレイアダプタ
210  ディスプレイ
212  ネットワークアダプタ
【図１】
2015064879.tif 000003
【図２】
2015064879.tif 000004
【図３】
2015064879.tif 000005
【図４】
2015064879.tif 000006
【図５】
2015064879.tif 000007
【図６】
2015064879.tif 000008
【外国語明細書】
2015064879000001.pdf